(57)【要約】  【課題】燃焼面の赤熱状態切替制御を格段に容易にする。  【解決手段】  調理物を載置する焼棚１７と、この焼棚１７に載置される調理物に燃焼面が正対するバーナプレート２５を含む全一次式バーナ２と、この全一次式バーナ２に一定量の燃料ガスおよび可変量の空気をそれぞれ供給するセーフティーバルブ５１および燃焼用送風機７３とを備え、燃焼用送風機７３は、一定量の燃料ガスに対して、全一次式バーナ２に供給する空気量を所定量にすることによりバーナプレート２５の燃焼面の赤熱状態を強状態にし、全一次式バーナ２に供給する空気量を所定量よりも多くすることによりバーナプレート２５の燃焼面の赤熱状態を強状態よりも弱い状態にするように構成した。【選択図】図１
2005143571.tif 000002
【特許請求の範囲】
【請求項１】
調理物を載置する焼棚と、この焼棚に載置される調理物に燃焼面が正対するバーナプレートを含む全一次式バーナと、この全一次式バーナに一定量の燃料ガスおよび可変量の空気をそれぞれ供給するバルブおよび燃焼用送風機とを備え、
前記燃焼用送風機は、前記一定量の燃料ガスに対して、前記全一次式バーナに供給する空気量を所定量にすることにより前記バーナプレートの燃焼面の赤熱状態を強状態にし、前記全一次式バーナに供給する空気量を前記所定量よりも多くすることにより前記バーナプレートの燃焼面の赤熱状態を前記強状態よりも弱い状態にする
ことを特徴とするガス赤外線焼物器。
【請求項２】
前記全一次式バーナは、前記焼棚に載置される調理物に鉛直上方から燃焼面が正対するメタルニットのバーナプレートを含むメタルニットバーナであることを特徴とする請求項１記載のガス赤外線焼物器。
【請求項３】
商用電源を整流、平滑および安定化して得られる直流電圧を出力する直流電源を備えるとともに、前記直流電源からの直流電圧に応じて駆動する直流モータを前記燃焼用送風機内に備え、
前記直流モータは、前記直流電源からの所定の直流電圧に応じて、前記所定量の空気を前記全一次式バーナに供給するように駆動し、前記直流電源からの前記所定の直流電圧よりも高い直流電圧に応じて、前記所定量よりも多い空気を前記全一次式バーナに供給するように駆動する
ことを特徴とする請求項１または２記載のガス赤外線焼物器。
【請求項４】
前記バーナプレートの燃焼面の赤熱状態を強、中、弱のいずれかの状態に切り替えるための操作入力を得る操作部を備え、
この操作部で、強の状態に切り替えるための操作入力が得られた場合には、前記全一次式バーナに供給する空気量が所定の小量になるように前記燃焼用送風機を駆動し、中の状態に切り替えるための操作入力が得られた場合には、前記全一次式バーナに供給する空気量が前記小量よりも多い中量になるように前記燃焼用送風機を駆動し、弱の状態に切り替えるための操作入力が得られた場合には、前記全一次式バーナに供給する空気量が前記中量よりも多い大量になるように前記燃焼用送風機を駆動する
ことを特徴とする請求項１から３のいずれかに記載のガス赤外線焼物器。
【請求項５】
前記バーナプレートの燃焼面の赤熱状態を強と弱との範囲内のいずれかの状態に連続的に切り替えるための操作入力を得る操作部を備え、
前記全一次式バーナに供給する空気量が、前記所定量とこれよりも多い量との範囲内のいずれかの量であって前記操作部で得られた操作入力に対応する量になるように、前記燃焼用送風機を駆動する
ことを特徴とする請求項１から３のいずれかに記載のガス赤外線焼物器。
【請求項６】
前記バーナプレートの燃焼面の火炎により起電力を発生する熱電対と、前記燃焼用送風機が停止したか否かの検出をする検出部と、この検出部で前記燃焼用送風機が停止したとの検出結果を得たときに開となる常閉接点を持つリレーとを備え、
前記バルブは、前記リレーの常閉接点が閉のときに、その常閉接点を介して前記熱電対で発生する起電力を受けることにより開状態を保持する一方、前記常閉接点が開のときには閉状態を保持する電磁弁である
ことを特徴とする請求項１から５のいずれかに記載のガス赤外線焼物器。
【発明の詳細な説明】
【技術分野】
【０００１】
本発明は、調理物を載置する焼棚と、この焼棚に載置される調理物に燃焼面が正対するバーナプレートを含む全一次式バーナとを備えるガス赤外線焼物器に関するものである。
【背景技術】
【０００２】
従来、ガス業務用厨房機器には、全一次式バーナが焼棚の鉛直上方に設けられる上火式のガス赤外線焼物器と、全一次式バーナが焼棚の鉛直下方に設けられる下火式のガス赤外線焼物器とがあり、これらは一般に、全一次式バーナへの燃料ガスの供給量が一定となっている。
【０００３】
このため、焼物に応じた火力を得るべく、串掛けの高さを各段のいずれかに入れ替える焼棚固定タイプのものと、焼棚の高さをハンドルで簡単に調節できる焼棚可動タイプのものとが用意されている。
【０００４】
なお、特許文献１には、グリルに搭載される全一次式バーナのセラミックプレートが開示されている。
【特許文献１】特開２００１−２７２００９号公報
【発明の開示】
【発明が解決しようとする課題】
【０００５】
上記従来のガス赤外線焼物器では、全一次式バーナへの燃料ガスの供給量を調節して、バーナプレートの燃焼面に対して赤熱状態の制御をすることは容易なことではなく、その制御がどうしても複雑となるために、価格が非常に高価となる課題がある。
【０００６】
本発明は、上記事情に鑑みてなされたものであり、燃焼面の赤熱状態切替制御を格段に容易にすることができるガス赤外線焼物器を提供することを目的とする。
【課題を解決するための手段】
【０００７】
上記課題を解決するための請求項１記載の発明のガス赤外線焼物器は、調理物を載置する焼棚と、この焼棚に載置される調理物に燃焼面が正対するバーナプレートを含む全一次式バーナと、この全一次式バーナに一定量の燃料ガスおよび可変量の空気をそれぞれ供給するバルブおよび燃焼用送風機とを備え、前記燃焼用送風機は、前記一定量の燃料ガスに対して、前記全一次式バーナに供給する空気量を所定量にすることにより前記バーナプレートの燃焼面の赤熱状態を強状態にし、前記全一次式バーナに供給する空気量を前記所定量よりも多くすることにより前記バーナプレートの燃焼面の赤熱状態を前記強状態よりも弱い状態にすることを特徴とする。
【０００８】
この構成では、一定量の燃料ガスに対して、全一次式バーナに供給する空気量を所定量にすることによりバーナプレートの燃焼面の赤熱状態を強状態にし、その空気量をより多くすることにより燃焼面の赤熱状態をより弱い状態にするので、燃焼面の赤熱状態切替制御を格段に容易にすることができる。
【０００９】
請求項２記載の発明は、請求項１記載のガス赤外線焼物器において、前記全一次式バーナは、前記焼棚に載置される調理物に鉛直上方から燃焼面が正対するメタルニットのバーナプレートを含むメタルニットバーナであることを特徴とする。この構成では、多数の炎孔が穿設されたセラミックのバーナプレートを含む全一次式バーナと比較して、表面負荷に対してとりうる空気比の範囲が広いので、本メタルニットのバーナプレートの燃焼面に対し、赤熱状態切替範囲を拡張することができるとともに、赤熱状態切替制御の安定化を図ることができる。
【００１０】
請求項３記載の発明は、請求項１または２記載のガス赤外線焼物器において、商用電源を整流、平滑および安定化して得られる直流電圧を出力する直流電源を備えるとともに、前記直流電源からの直流電圧に応じて駆動する直流モータを前記燃焼用送風機内に備え、前記直流モータは、前記直流電源からの所定の直流電圧に応じて、前記所定量の空気を前記全一次式バーナに供給するように駆動し、前記直流電源からの前記所定の直流電圧よりも高い直流電圧に応じて、前記所定量よりも多い空気を前記全一次式バーナに供給するように駆動することを特徴とする。この構成では、直流電源を備え、燃焼用送風機に直流モータを使用することにより、商用電源の周波数の違いや、その電圧変動に関係なく、バーナプレートの燃焼面に対する赤熱状態切替制御を安定的に実行することができる。
【００１１】
請求項４記載の発明は、請求項１から３のいずれかに記載のガス赤外線焼物器において、前記バーナプレートの燃焼面の赤熱状態を強、中、弱のいずれかの状態に切り替えるための操作入力を得る操作部を備え、この操作部で、強の状態に切り替えるための操作入力が得られた場合には、前記全一次式バーナに供給する空気量が所定の小量になるように前記燃焼用送風機を駆動し、中の状態に切り替えるための操作入力が得られた場合には、前記全一次式バーナに供給する空気量が前記小量よりも多い中量になるように前記燃焼用送風機を駆動し、弱の状態に切り替えるための操作入力が得られた場合には、前記全一次式バーナに供給する空気量が前記中量よりも多い大量になるように前記燃焼用送風機を駆動することを特徴とする。この構成では、バーナプレートの燃焼面の赤熱状態を、簡単に強、中、弱のいずれかの状態に切り替えることができる。
【００１２】
請求項５記載の発明は、請求項１から３のいずれかに記載のガス赤外線焼物器において、前記バーナプレートの燃焼面の赤熱状態を強と弱との範囲内のいずれかの状態に連続的に切り替えるための操作入力を得る操作部を備え、前記全一次式バーナに供給する空気量が、前記所定量とこれよりも多い量との範囲内のいずれかの量であって前記操作部で得られた操作入力に対応する量になるように、前記燃焼用送風機を駆動することを特徴とする。この構成では、バーナプレートの燃焼面の赤熱状態を、簡単に強と弱との範囲内のいずれかの状態に連続的に切り替えることができる。
【００１３】
請求項６記載の発明は、請求項１から５のいずれかに記載のガス赤外線焼物器において、前記バーナプレートの燃焼面の火炎により起電力を発生する熱電対と、前記燃焼用送風機が停止したか否かの検出をする検出部と、この検出部で前記燃焼用送風機が停止したとの検出結果を得たときに開となる常閉接点を持つリレーとを備え、前記バルブは、前記リレーの常閉接点が閉のときに、その常閉接点を介して前記熱電対で発生する起電力を受けることにより開状態を保持する一方、前記常閉接点が開のときには閉状態を保持する電磁弁であることを特徴とする。この構成では、何らかの原因で燃焼用送風機が停止したとき、リレーの常閉接点が開となって電磁弁が閉状態になるので、全一次式バーナへの燃料ガスの供給を停止することができる。
【発明の効果】
【００１４】
本発明によれば、バーナプレートの燃焼面の赤熱状態切替制御を格段に容易にすることができる。
【発明を実施するための最良の形態】
【００１５】
図１は本発明による一実施形態のガス赤外線焼物器の構成図、図２は同ガス赤外線焼物器の斜視図、図３は同ガス赤外線焼物器を右側から見た断面図、図４は同ガス赤外線焼物器の全一次式バーナを上方側から見た斜視図（ａ）および下方側から見た斜視図（ｂ）、図５，図６は同ガス赤外線焼物器の動作フロー図である。
【００１６】
本実施形態のガス赤外線焼物器は、上火式で焼棚可動タイプのものであり、図１〜図３に示すように、左右方向を長手方向とし前後方向に貫通する空所１ａを有する枠状に形成され、空所１ａ内で焼棚（焼網）１７を上下方向にスライド自在に保持する器体１を備えているとともに、全一次式バーナ２、電源入力部３、冷却用送風機ユニット４、バルブ開閉部５、バルブ開保持部６および火力調節部７などを上記器体１に備えている。なお、図１の８１は安全装置基板ユニット、８２はメンテナンススイッチ、ＭＰはメイン基板である。
【００１７】
器体１は、例えばステンレス製であり、前後方向を長手方向とする矩形断面を持ち左右方向に長い中空平角状の基台１０と、前後方向を長手方向とする矩形断面を持ち上下方向に長い中空平角状に形成され、基台１０の上面左端および右端側にそれぞれ載置固定される左支柱部１３および（収納部を兼ねる）右支柱部１４と、これらに架設される上収納部１５と、基台１０の上面における左支柱部１３および右支柱部１４間に介設され、それら左支柱部１３および右支柱部１４よりも上下方向の高さ寸法が短い下収納部１６とにより構成されている。
【００１８】
右支柱部１４の前面部１４１には、開閉ノブ１４７が下端側に設けられ、その上方には火力調節ノブ１４８が設けられている。
【００１９】
上収納部１５は、下方に開口１５ａを有する箱状に形成され、上底部１５１に複数の長孔１５１ａを有している。上収納部１５内には、下方に開口を有する形状のバーナ格納部１５７が収納され、そのバーナ格納部１５７は、前後に通気路１５７ａ，１５７ｂを配置した状態で上収納部１５の上底部１５１内面に固着されている。そして、バーナ格納部１５７の開口側には、当該開口から下方にほぼ面一となって突出する筒部１５８が例えば複数のねじによりねじ止めされている。また、筒部１５８の前後各側壁には、通気孔１５８ａが複数形成されている。このように、バーナ格納部１５７および筒部１５８の前後に通気路１５７ａ，１５７ｂを設け、上底部１５１に複数の長孔１５１ａを穿設することにより、筒部１５８からの排気ＥＧを通気路１５７ａ，１５７ｂ内に導いて複数の長孔１５１ａから外部上方に排出することができる。
【００２０】
下収納部１６は、左右方向を長手方向とする平板状で上下両端が後方に屈曲する形状に形成され、基台１０上面の左支柱部１３および右支柱部１４間の前端に立設される前面部１６１と、これよりも高さ寸法の長い平板状で上端側が前方に傾斜するとともに上下両端が前方に屈曲する形状に形成され、基台１０上面の左支柱部１３および右支柱部１４間の後端に立設される後面部１６２と、これら前面部１６１および後面部１６２の各上端間に架設され、それらの間の開口部分を着脱自在に閉塞する断面Ｌ字状の内カバー１６７と、左右方向を長手方向とする平板状で上端側が後方に傾斜するとともに上下両端が後方に屈曲する形状に形成され、前面部１６１上端の左支柱部１３および右支柱部１４間に着脱自在に立設され後面部１６２の上部と対象形状をなす外カバー１６８とにより構成されている。つまり、下収納部１６は、内カバー１６７により上下に分断された上収納室１６ａおよび下収納室１６ｂを有する構造になっており、上収納室１６ａの開口下に、上方に開口を有する箱状の水槽１８を着脱自在に収納している。なお、１６９は、焼棚１７を支持する左右２本の支持棒１７０を上下方向にスライドするためのハンドルである。
【００２１】
内カバー１６７には、下収納室１６ｂから上収納室１６ａに連通する複数の通気孔１６７ａ，１６７ｂが前後に設けられている一方、外カバー１６８および後面部１６２の上端には、それぞれ通気孔１６７ａ，１６７ｂからの空気を上記通気路１５７ａ，１５７ｂの側に案内する複数の通気孔１６８ａ，１６２ａが設けられている。このように、通気孔１６７ａ，１６７ｂと通気孔１６８ａ，１６２ａとを設けることにより、下収納室１６ｂに収納される後述の冷却用送風機４０の駆動時に、冷却用の空気が下収納室１６ｂから通気孔１６７ａ，１６７ｂを通って上収納室１６ａ内を流れて水槽１８を冷却した後、通気孔１６８ａ，１６２ａを通って上昇し、通気路１５７ａ，１５７ｂを通って複数の長孔１５１ａから外部上方に流出するので、焼棚１７の前後を閉塞するエアーカーテンを形成することができるとともに、筒部１５８からの排気ＥＧを冷却して複数の長孔１５１ａから外部上方に排出することができる。
【００２２】
全一次式バーナ２は、図２から図４に示すように、左右方向を長手方向とする矩形状の開口２ａを下方に有する箱状に形成されたバーナ本体２０と、この開口２ａの縁部に周設された取付フランジ２１と、バーナ本体２０の右側面部上方から右方に突出する中空角状に形成され、バーナ本体２０内に連通する開口２２ａを下側面に有する管２２と、この開口２２ａの縁部に周設された鍔状の接続部２３と、バーナ本体２０の上底部左端から左方に突出する取付片２４と、バーナ本体２０の開口２ａを閉塞するメタルニットのバーナプレート２５とにより構成されている。つまり、全一次式バーナ２は、このメタルニットのバーナプレート２５の燃焼面が鉛直上方から焼棚１７に載置される調理物（図１の例では焼き鳥）に正対するようになっている。
【００２３】
電源入力部３は、図１に示すように、１００Ｖ用の電源コード３０と、この電源コード３０を介して１００Ｖの商用電源と接続される小型漏電ブレーカ３１とにより構成されている。
【００２４】
冷却用送風機ユニット４は、電源入力部３からの交流電力により駆動する交流モータなどにより構成される冷却用送風機４０を含み、この冷却用送風機４０は、器体１の下収納部１６における下収納室１６ｂ内に収納される。このように構成される冷却用送風機４０は、電源入力部３の電源コード３０が接続される壁コンセントの上流側のブレーカを入状態にしたときに駆動し、それを切状態にしたときに停止する。なお、上流側のブレーカの役割を小型漏電ブレーカ３１に持たせる構成でもよい。
【００２５】
バルブ開閉部５は、器体１の右支柱部１４における後面部の下端側に設けられるＬ字状のホースエンド（図示せず）と、このホースエンドの下流側に設けられ、開閉ノブ１４７の開閉操作に応じて機械的に開閉する常閉の電磁弁からなるセーフティーバルブ５１と、開閉ノブ１４７の開（点火）操作時にオンになるマイクロスイッチ５２と、全一次式バーナ２のバーナプレート２５の燃焼面近傍に設けられ、マイクロスイッチ５２のオン時に商用電源からの電圧により高圧パルス電圧を発生するスパークユニット５３とにより構成される。なお、セーフティーバルブ５１は、従来と同様に、端子５１１，５１２を有し、これらに所定の電圧が印加している間、電磁力によりバルブを開状態に保持するようになっている。
【００２６】
バルブ開保持部６は、全一次式バーナ２におけるバーナプレート２５の燃焼面の火炎により起電力を発生する熱電対（サーモカップル）６０と、後述の燃焼用送風機７３の電気信号を確認することにより、燃焼用送風機７３が停止したか否かの検出をするセンサ６１と、このセンサ６１で燃焼用送風機が停止したとの検出結果を得たときに、熱電対６０で発生した起電力による上記所定の電圧をセーフティーバルブ５１の端子５１１，５１２間に印加する経路を開とし、それ以外では閉とする常閉接点６２ａを持つリレー６２とにより構成される。そして、セーフティーバルブ５１は、開状態のとき、図示しない混合器を介して一定量の燃料ガスを、全一次式バーナ２の開口２２ａからその全一次式バーナ２内に供給するように構成される。
【００２７】
火力調節部７は、バーナプレート２５の燃焼面の赤熱状態を強、中、弱のいずれかの状態に切り替えるための操作入力を得る上述の火力調節ノブ１４８に連動して、切替接点信号を出力する火力調節スイッチ７１と、電源入力部３からの商用電源を整流、平滑および安定化して得られる各種直流電圧を出力する直流電源部７２と、この直流電源部７２からの直流電圧に応じて駆動する直流モータなどにより構成され、上記混合器を介して可変量の空気を全一次式バーナ２内に供給する燃焼用送風機７３とを備えているほか、制御部７０を備えている。
【００２８】
この制御部７０は、例えばマイコンなどにより構成され、上記一定量の燃料ガスに対して、全一次式バーナ２に供給する空気量を所定量（例えば効率が良好となる予め決定された量）にすることによりバーナプレート２５の燃焼面の赤熱状態を強状態にし、全一次式バーナ２に供給する空気量を上記所定量よりも多くすることによりバーナプレート２５の燃焼面の赤熱状態を上記強状態よりも弱い状態にするように、直流電源部７２から燃焼用送風機７３に供給される直流電圧のレベル制御を実行する。
【００２９】
具体的には、火力調節スイッチ７１から、強の状態に切り替えるための操作入力の切替接点信号が得られた場合には、全一次式バーナ２に供給する空気量が所定の小量になるように、直流電源部７２の出力電圧を低電圧（例えば１６Ｖ）に切り替えて燃焼用送風機７３を駆動し、中の状態に切り替えるための操作入力の切替接点信号が得られた場合には、全一次式バーナ２に供給する空気量が上記小量よりも多い中量になるように、直流電源部７２の出力電圧を中電圧（例えば１９Ｖ）に切り替えて燃焼用送風機７３を駆動し、弱の状態に切り替えるための操作入力の切替接点信号が得られた場合には、全一次式バーナ２に供給する空気量が上記中量よりも多い大量になるように、直流電源部７２の出力電圧を高電圧（例えば２２Ｖ）に切り替えて燃焼用送風機７３を駆動する制御が実行される。
【００３０】
つまり、本実施形態では、全一次式バーナ２であるメタルニットバーナの表面負荷に対してとりうる空気比の範囲の広さに着目し、予め設計段階および焼上テストや温度上昇試験を行い、正常燃焼状態であり、且つ表面の赤熱状態と最も調理物（焼物）に適した表面温度になり得る最大消費量（強燃焼）の負荷［ｋＷ］を設定し、ガス流量を固定した後、全一次式バーナ２表面が赤熱燃焼（強燃焼）と青色炎（弱燃焼）になる範囲の空気量を、混合管の静圧で測定し、強燃焼、弱燃焼となるように燃焼用送風機７３の送風量を、電源電圧の可変により決定した。中燃焼については、その中間の値に設定した。
【００３１】
次に本実施形態の動作について説明する。図５に示すように、セーフティーバルブ５１および全一次式バーナ２がそれぞれ閉弁および消火状態にあるとき（Ｓ１，＃１）、開閉ノブ１４７に対して開（開弁）操作をすると（Ｓ２）、セーフティーバルブ５１が強制的に開となり、一定量の燃料ガスおよび可変量の空気が全一次式バーナ２内に供給されるとともに、スパークユニット５で高圧パルス電圧が発生することにより、全一次式バーナ２が点火する（＃２）。
【００３２】
この後、全一次式バーナ２が着火し（＃３）、そのバーナプレート２５の燃焼面の火炎により熱電対６０に起電力が発生すると、その起電力によりセーフティーバルブ５１が開状態を保持する（Ｓ３）。これにより、開閉ノブ１４７に対する操作を止めても、セーフティーバルブ５１の開状態が保持され（Ｓ４）、全一次式バーナ２の着火が継続する（＃４）。
【００３３】
この後、開閉ノブ１４７に対して閉（閉弁）操作をすると（Ｓ５）、セーフティーバルブ５１が強制的に閉となり、一定量の燃料ガスが全一次式バーナ２内に供給されなくなることにより、全一次式バーナ２が消火する（＃５）。また、熱電対６０に起電力が発生しなくなるので、セーフティーバルブ５１は閉状態を保持することになる。
【００３４】
次に、例えば上記着火継続時に、火力調節ノブ１４８に対して、強，中，弱の切替操作をした場合の動作について説明する。強の状態に切り替えるための操作をした場合には、直流電源部７２の出力電圧が低電圧に切り替わり、燃焼用送風機７３がその低電圧で駆動する。これにより、一定量のガス燃料および所定の小量の空気が全一次式バーナ２に供給され、バーナプレート２５の燃焼面の赤熱状態が強状態となる。
【００３５】
中の状態に切り替えるための操作をした場合には、直流電源部７２の出力電圧が中電圧に切り替わり、燃焼用送風機７３がその中電圧で駆動する。これにより、一定量のガス燃料および中量の空気が全一次式バーナ２に供給され、バーナプレート２５の燃焼面の赤熱状態が中状態となる。
【００３６】
弱の状態に切り替えるための操作をした場合には、直流電源部７２の出力電圧が高電圧に切り替わり、燃焼用送風機７３がその高電圧で駆動する。これにより、一定量のガス燃料および高量の空気が全一次式バーナ２に供給され、バーナプレート２５の燃焼面の赤熱状態が弱状態となる。
【００３７】
次に、何らかの原因で燃焼用送風機７３が停止した場合に動作について説明する。図６に示すように、本ガス赤外線焼物器が停止している状態から（Ｓ１０）、電源コード３０が接続される壁コンセントの上流側のブレーカを入状態にすると、冷却用送風機４０および燃焼用送風機７３が始動し（Ｓ１１）、センサ６１が、燃焼用送風機７３が停止したか否か、別言すると可動したか否かの検出をする（Ｓ１２）。燃焼用送風機７３が停止しておらず、その可動確認が得られれば（Ｓ１２でＹｅｓ）、ステップＳ１２に戻る。この場合、燃焼用送風機７３は動作状態を継続していることになる。一方、燃焼用送風機７３が停止しており、その可動確認が得られなければ（Ｓ１２でＮｏ）、常閉接点６２ａが開状態になり、セーフティーバルブ５１が閉状態となる。これにより、全一次式バーナ２が消火する。
【００３８】
以上、本実施形態によれば、一定量の燃料ガスに対して、全一次式バーナ２に供給する空気量を所定量にすることによりバーナプレート２５の燃焼面の赤熱状態（輻射熱強度）を強状態にし、その空気量をより多くすることにより燃焼面の赤熱状態をより弱い状態にするので、燃焼面の赤熱状態切替制御を格段に容易にすることができる。本実施形態の具体例では、バーナプレート２５の燃焼面の赤熱状態を、簡単に強、中、弱のいずれかの状態に切り替えることができる。また、赤熱量変化は輻射量も調節でき調理物への火力の調節が可能である。
【００３９】
また、全一次式バーナ２にメタルニットバーナを使用したことにより、多数の炎孔が穿設されたセラミックのバーナプレートを含む全一次式バーナと比較して、表面負荷に対してとりうる空気比の範囲が広いので、本メタルニットのバーナプレート２５の燃焼面に対し、赤熱状態切替範囲を拡張することができるとともに、赤熱状態切替制御の安定化を図ることができる。
【００４０】
また、直流電源部７２を備え、燃焼用送風機７３に直流モータを使用することにより、商用電源の周波数の違いや、その電圧変動に関係なく、バーナプレート２５の燃焼面に対する赤熱状態切替制御を安定的に実行することができる。また、燃焼用送風機７３のファンの回転数の制御が容易となる。
【００４１】
さらに、リレー６２を備えたことにより、何らかの原因で燃焼用送風機７３が停止したとき、リレー６２の常閉接点６２ａが開となってセーフティーバルブ５１が閉状態になるので、全一次式バーナ２への燃料ガスの供給を停止することができる。
【００４２】
なお、本実施形態では、上火式で焼棚可動タイプになっているが、下火式でもよく、また焼棚固定タイプでもよく、これらいずれの構成でも、本実施形態と同様の効果が得られることは言うまでもない。
【００４３】
また、本実施形態では、切替接点信号を出力する火力調節スイッチ７１を備える構成になっているが、これに限らず、例えば、バーナプレート２５の燃焼面の赤熱状態を強と弱との範囲内のいずれかの状態に連続的に切り替えるための操作入力を得る火力調節ノブ１４８に連動して、可変抵抗値を出力するボリューム抵抗器を備え、全一次式バーナ２に供給する空気量が、所定量とこれよりも多い量との範囲内のいずれかの量であって火力調節ノブ１４８で得られた操作入力に対応する量になるように、燃焼用送風機７３を駆動する構成にしてもよい。この構成では、バーナプレート２５の燃焼面の赤熱状態を、簡単に強と弱との範囲内のいずれかの状態に連続的に切り替えることができる。
【００４４】
また、本実施形態では、電源コード３０が接続される壁コンセントの上流側のブレーカを入状態にしたときに、冷却用送風機４０が駆動する構成になっているが、冷却用送風機４０を駆動ないし停止するための入切スイッチを別途設ける構成にしても構わない。ただし、冷却用送風機４０を駆動し忘れるのを防止するためには、図１の構成の方がより望ましい。同様に、燃焼用送風機７３に対しても、さらに切機能を火力調節ノブおよび火力調節スイッチ７１などに設けてもよいが、燃焼用送風機７３を駆動し忘れるのを防止するためには、切機能の無い構成の方が望ましい。
【００４５】
さらに、上記ブレーカによらずに、冷却用送風機４０および燃焼用送風機７３を切状態にする場合には、セーフティーバルブ５１の開状態に応じてそれらを自動的に駆動し、閉状態に応じてそれらを自動的に停止するように構成するのが望ましい。
【図面の簡単な説明】
【００４６】
【図１】本発明による一実施形態のガス赤外線焼物器の構成図である。
【図２】同ガス赤外線焼物器の斜視図である。
【図３】同ガス赤外線焼物器を右側から見た断面図である。
【図４】同ガス赤外線焼物器の全一次式バーナを上方側から見た斜視図（ａ）および下方側から見た斜視図（ｂ）である。
【図５】同ガス赤外線焼物器の動作フロー図である。
【図６】同ガス赤外線焼物器の動作フロー図である。
【符号の説明】
【００４７】
１  器体
１ａ  空所
１０  基台
１３  左支柱部
１４  右支柱部
１４７  開閉ノブ
１４８  火力調節ノブ
１５  上収納部
１５１ａ  長孔
１５７  バーナ格納部
１５７ａ，１５７ｂ  通気路
１５８  筒部
１６  下収納部
１６９  ハンドル
１７  焼棚（焼網）
１８  水槽
２  全一次式バーナ
２５  バーナプレート
３  電源入力部
４  冷却用送風機ユニット
４０  冷却用送風機
５  バルブ開閉部
５１  セーフティーバルブ
６  バルブ開保持部
６０  熱電対（サーモカップル）
６１  センサ
６２  リレー
６２ａ  常閉接点
７  火力調節部
７０  制御部
７１  火力調節スイッチ
７２  直流電源部
７３  燃焼用送風機
【図１】
2005143571.tif 000003
【図２】
2005143571.tif 000004
【図３】
2005143571.tif 000005
【図４】
2005143571.tif 000006
【図５】
2005143571.tif 000007
【図６】
2005143571.tif 000008